(57)【特許請求の範囲】
【請求項１】
板状のベースと、前記ベースの一表面側に配置されてなりＬＥＤチップを用いた発光装置と、前記発光装置の前面側に配置されて前記ベースに取り付けられてなり前記発光装置から放射された光を透過させる機能を有するカバーと、前記発光装置に電気的に接続された給電用の電線とを備え、前記ベースの周部に、前記電線を外部へ導出する方向を変更可能な導出部が形成され、
前記ベースの前記一表面側には、前記電線の一部を収納配置するための凹所が形成されてなり、前記ベースの前記導出部の内周面と前記ベースの前記凹所の内底面との間に、面取り部が形成され、
前記凹所の内底面の中央部には、前記発光装置側へ突出する突台部が設けられ、
前記発光装置は、前記突台部の先端面との間に、放熱シートが介在するように配置され、
前記突台部の高さ寸法は、前記高さ寸法と前記放熱シートの厚み寸法とを合わせた寸法が前記凹所の深さ寸法よりも大きくなるように、設定されていることを特徴とするＬＥＤユニット。
【請求項２】
前記電線において前記導出部から導出した部位の先端部には、コネクタが設けられてなることを特徴とする請求項１記載のＬＥＤユニット。
【請求項３】
前記導出部は、前記ベースの周部において前記ベースの他表面および側面が開放されており、前記導出部から導出した前記電線を前記ベースの前記他表面に直交する方向へ導出した場合に、前記電線が前記ベースの外周線よりも内側に配置されるように形成されてなることを特徴とする請求項１または請求項２記載のＬＥＤユニット。
【請求項４】
前記導出部は、前記ベースの周部において前記ベースの前記他表面、前記側面および前記一表面が開放されており、前記導出部から導出した前記電線を前記ベースの前記他表面に直交する方向へ導出した場合に、前記電線が前記ベースの外周線よりも内側に配置されるように形成されてなることを特徴とする請求項３記載のＬＥＤユニット。
【請求項５】
請求項１ないし請求項４のいずれか１項に記載のＬＥＤユニットと、前記ＬＥＤユニットが取り付けられた器具本体とを備えてなることを特徴とする照明器具。
【発明の詳細な説明】
【技術分野】
【０００１】
本発明は、ＬＥＤユニットおよびそれを用いた照明器具に関するものである。
【背景技術】
【０００２】
従来から、ＬＥＤユニットを備えた照明器具（ＬＥＤ照明器具）が提案されている（例えば、特許文献１，２）。
【０００３】
特許文献１に開示されたＬＥＤ照明器具は、図２０に示すように、複数個のＬＥＤチップ３６などが実装されたＬＥＤモジュール基板３７を有する。ＬＥＤモジュール基板３７には、このＬＥＤモジュール基板３７への給電電線３８を直接接続するための速結端子である端子部３９を具備する端子台２４が設けられている。端子台２４には、給電電線３８と端子部３９との接続を解除するための解除ボタン２５が設けられている。なお、上述のＬＥＤモジュール基板３７を備えたＬＥＤ照明器具では、各ＬＥＤチップ３６、ＬＥＤモジュール基板３７、端子台２４などにより、ＬＥＤユニットを構成している。
【０００４】
また、特許文献２に開示されたＬＥＤ照明器具は、例えば、天井から吊り下げられて使用されるペンダントライトであって、図２１に示すように、複数個のＬＥＤ２６が実装されたＬＥＤ基板２７と、ＬＥＤ基板２７に電力を供給する電源回路２８とを有する。また、このＬＥＤ照明器具は、ＬＥＤ基板２７を収納する有底筒状のＬＥＤケーシング２９と、ＬＥＤケーシング２９とは別体に構成され電源回路２８を収納する有底筒状の電源ケーシング３０とを有する。なお、電源ケーシング３０は、ＬＥＤケーシング２９よりも上側に配置される。
【０００５】
電源ケーシング３０の底壁３０ｃには、電源回路２８に電気的に接続された電源側コード３２を挿通可能なコード通し穴３０ｄが形成されている。電源側コード３２の先端には、接続プラグ３２ａが設けられている。また、電源ケーシング３０の底面には、ＬＥＤケーシング２９を保持するための引掛具３４が複数箇所に突設されている。
【０００６】
ＬＥＤケーシング２９には、このＬＥＤケーシング２９の開口部を閉塞する上面部材２９ａが取着されている。上面部材２９ａには、ＬＥＤ基板２７に電気的に接続されたＬＥＤ側コード３３を挿通可能なコード通し穴２９ｂが形成されている。ＬＥＤ側コード３３の先端には、電源側コード３２の接続プラグ３２ａに着脱可能な接続プラグ３３ａが設けられている。また、上面部材２９ａには、電源ケーシング３０の各引掛具３４を引掛ける引掛溝３５が複数箇所に形成されている。したがって、図２１に示した構成のＬＥＤ照明器具は、ＬＥＤケーシング２９に取着された上面部材２９ａと電源ケーシング３０の底壁３０ｃとを面接触させて着脱可能に取り付けることができる。ここにおいて、ＬＥＤケーシング２９および電源ケーシング３０は、アルミニウム、銅、真鍮、セラミックなどの放熱性材料で形成されている。なお、図２１に示した構成のＬＥＤ照明器具では、各ＬＥＤ２６と、ＬＥＤ基板２７と、ＬＥＤケーシング２９と、上面部材２９ａと、ＬＥＤ側コード３３と、接続プラグ３３ａとで、ＬＥＤユニットを構成している。
【先行技術文献】
【特許文献】
【０００７】
【特許文献１】特開２００３−５９３３０号公報
【特許文献２】特開２００８−２５８０６６号公報
【発明の概要】
【発明が解決しようとする課題】
【０００８】
ところで、図２０に示した構成のＬＥＤモジュール基板３７を備えたＬＥＤ照明器具では、ＬＥＤモジュール基板３７に給電電線３８を直接接続するための速結端子である端子部３９を具備する端子台２４が設けられているので、ＬＥＤ照明器具の器具本体に対してＬＥＤモジュール基板３７を取り付ける際に、給電電線３８を半田付けする作業が不要となる。したがって、このＬＥＤ照明器具では、給電電線３８の接続作業が容易となり、器具本体に対してＬＥＤモジュール基板３７を容易に着脱することができる。
【０００９】
しかしながら、このＬＥＤ照明器具では、ＬＥＤ照明器具の器具本体に対してＬＥＤモジュール基板３７を取り外す際に、端子台２４に設けられた解除ボタン２５を操作して給電電線３８と端子部３９との接続を解除し、給電電線３８を引き抜く必要があるが、ＬＥＤモジュール基板３７に実装されたＬＥＤチップ３６が露出しているので、ＬＥＤモジュール基板３７を着脱する際にＬＥＤチップ３６を傷つける可能性がある。また、このＬＥＤ照明器具では、ＬＥＤモジュール基板３７の着脱作業を、給電電線３８からＬＥＤモジュール基板３７への通電状態のまま行うと、感電のおそれがある。また、このＬＥＤ照明器具においてＬＥＤモジュール基板３７の着脱作業は、電気工事を伴う作業であるため、一般的な白熱電球や蛍光ランプのように一般の使用者自らがＬＥＤモジュール基板３７の着脱作業を行うことはできない。
【００１０】
また、図２１に示した構成のＬＥＤ照明器具では、電源回路２８に電気的に接続された電源側コード３２の先端に接続プラグ３２ａが設けられるとともに、ＬＥＤ基板２７に電気的に接続されたＬＥＤ側コード３３の先端に、電源側コード３２の接続プラグ３２ａに着脱可能な接続プラグ３３ａが設けられている。したがって、このＬＥＤ照明器具では、電源側コード３２とＬＥＤ側コード３３との接続作業が容易となる。また、このＬＥＤ照明器具では、電源ケーシング３０の引掛具３４をＬＥＤケーシング２９の上面部材２９ａに形成された引掛溝３５に引掛けることで、電源ケーシング３０に対してＬＥＤケーシング２９を容易に着脱することができる。
【００１１】
しかしながら、このＬＥＤ照明器具は、ＬＥＤケーシング２９の上面部材２９ａと電源ケーシング３０の底壁３０ｃとを面接触させて取り付けることで放熱面積を増加させているので、ＬＥＤケーシング２９の上面部材２９ａと電源ケーシング３０の底壁３０ｃとを面接触させる構造に限定される。
【００１２】
本発明は上記事由に鑑みて為されたものであり、その目的は、様々な形態の器具本体に取り付け可能なＬＥＤユニットおよびそれを用いた照明器具を提供することにある。
【課題を解決するための手段】
【００１３】
本発明のＬＥＤユニットは、板状のベースと、前記ベースの一表面側に配置されてなりＬＥＤチップを用いた発光装置と、前記発光装置の前面側に配置されて前記ベースに取り付けられてなり前記発光装置から放射された光を透過させる機能を有するカバーと、前記発光装置に電気的に接続された給電用の電線とを備え、前記ベースの周部に、前記電線を外部へ導出する方向を変更可能な導出部が形成され、前記ベースの前記一表面側には、前記電線の一部を収納配置するための凹所が形成されてなり、前記ベースの前記導出部の内周面と前記ベースの前記凹所の内底面との間に、面取り部が形成され、前記凹所の内底面の中央部には、前記発光装置側へ突出する突台部が設けられ、前記発光装置は、前記突台部の先端面との間に、放熱シートが介在するように配置され、前記突台部の高さ寸法は、前記高さ寸法と前記放熱シートの厚み寸法とを合わせた寸法が前記凹所の深さ寸法よりも大きくなるように、設定されていることを特徴とする。
【００１４】
このＬＥＤユニットにおいて、前記電線において前記導出部から導出した部位の先端部には、コネクタが設けられてなることが好ましい。
【００１５】
このＬＥＤユニットにおいて、前記導出部は、前記ベースの周部において前記ベースの他表面および側面が開放されており、前記導出部から導出した前記電線を前記ベースの前記他表面に直交する方向へ導出した場合に、前記電線が前記ベースの外周線よりも内側に配置されるように形成されてなることが好ましい。
【００１６】
このＬＥＤユニットにおいて、前記導出部は、前記ベースの周部において前記ベースの前記他表面、前記側面および前記一表面が開放されており、前記導出部から導出した前記電線を前記ベースの前記他表面に直交する方向へ導出した場合に、前記電線が前記ベースの外周線よりも内側に配置されるように形成されてなることが好ましい。
【００１８】
本発明の照明器具は、前記ＬＥＤユニットと、前記ＬＥＤユニットが取り付けられた器具本体とを備えてなることを特徴とする。
【発明の効果】
【００１９】
本発明のＬＥＤユニットにおいては、様々な形態の器具本体に取り付け可能となる。
【００２０】
本発明の照明器具においては、様々な形態の器具本体に取り付け可能なＬＥＤユニットを備えた照明器具を提供することができる。
【図面の簡単な説明】
【００２１】
【図１】実施形態１のＬＥＤユニットの分解斜視図である。
【図２】同上のＬＥＤユニットを示し、（ａ）は電線が取り付けられる前の平面図、（ｂ）は電線が取り付けられた後の平面図である。
【図３】同上のＬＥＤユニットを示し、（ａ）は一部破断した断面図、（ｂ）は断面図である。
【図４】同上のＬＥＤユニットを示し、（ａ）は斜視図、（ｂ）は断面図、（ｃ）はカバー側から見た平面図である。
【図５】同上のＬＥＤユニットを示し、（ａ）は斜視図、（ｂ）は断面図、（ｃ）はカバー側から見た平面図である。
【図６】同上のＬＥＤユニットにおける導出部の説明図である。
【図７】同上のＬＥＤユニットにおける導出部の他の構成例の説明図である。
【図８】同上のＬＥＤユニットを示し、（ａ）は断面図、（ｂ）はベースの他表面側から見たときの一部破断した平面図である。
【図９】同上のＬＥＤユニットの他の構成例を示し、（ａ）は断面図、（ｂ）はベースの他表面側から見たときの一部破断した平面図である。
【図１０】同上の照明器具の概略断面図である。
【図１１】同上の照明器具の他の構成例の概略断面図である。
【図１２】同上の照明器具の他の構成例の概略断面図である。
【図１３】同上の照明器具の他の構成例の概略断面図である。
【図１４】同上の照明器具の他の構成例の概略断面図である。
【図１５】同上の照明器具の他の構成例の概略断面図である。
【図１６】実施形態２のＬＥＤユニットの一部破断した断面図である。
【図１７】実施形態３のＬＥＤユニットの分解斜視図である。
【図１８】同上のＬＥＤユニットを示し、（ａ）は平面図、（ｂ）は側面図、（ｃ）は（ａ）は縦断面図、（ｄ）は（ａ）の横断面図である。
【図１９】同上のＬＥＤユニットの斜視図である。
【図２０】従来例のＬＥＤ照明器具におけるＬＥＤモジュール基板の斜視図である。
【図２１】他の従来例のＬＥＤ照明器具を示し、（ａ）は概略断面図、（ｂ）は概略分解斜視図である。
【発明を実施するための形態】
【００２２】
（実施形態１）
以下、本実施形態のＬＥＤユニットについて、図１〜図１０を参照しながら説明する。
【００２３】
本実施形態のＬＥＤユニット１０は、板状（例えば、円板状）のベース１と、ベース１の一表面側（図１では、上面側）に配置されてなりＬＥＤチップ（図示せず）を用いた発光装置３とを備えている。また、このＬＥＤユニット１０は、発光装置３をベース１との間に挟持するホルダ２と、発光装置３の前面側（図１では、上面側）に配置されてベース１に取り付けられてなり発光装置３から放射された光を透過させる機能を有するカバー２０とを備えている。さらに、上述のＬＥＤユニット１０は、発光装置３に電気的に接続された給電用の一対の電線（リード線）４，４を備えている。
【００２４】
ベース１は、樹脂に比べて熱伝導性の高い材料、例えば、アルミニウム、銅などの金属により形成されている。
【００２５】
ベース１の周部には、ＬＥＤユニット１０を照明器具１２（図１０参照）の器具本体１１（図１０参照）に着脱自在に取り付けるための、取付ねじ（図示せず）をベース１の上記一表面側から挿通する取付ねじ挿通孔１ｂが複数箇所（図示例では、２箇所）に貫設されている。
【００２６】
ここにおいて、本実施形態のＬＥＤユニット１０では、ベース１の形状を円形状としているが、これに限らず、例えば、多角形状であってもよいし、楕円形状であってもよい。
【００２７】
発光装置３は、複数個のＬＥＤチップを具備する発光部３ａと、この発光部３ａが実装された実装基板３ｂとで構成されている。ここにおいて、複数個のＬＥＤチップは、直列接続されているが、並列接続してもよいし、直並列接続してもよい。
【００２８】
発光部３ａは、複数個のＬＥＤチップ（図示せず）と、これら複数個のＬＥＤチップを覆う封止部３ｄとを有する。そして、発光部３ａは、ＬＥＤチップが青色ＬＥＤチップで構成され、青色ＬＥＤチップから放射される青色光により励起されてブロードな黄色光を放射する黄色蛍光体からなる蛍光体が封止部３ｄの透光性封止材料（例えば、シリコーン樹脂、エポキシ樹脂、ガラスなど）に混合されており、白色光を得る白色ＬＥＤを構成している。なお、発光部３ａの蛍光体は、黄色蛍光体に限らず、例えば、赤色蛍光体と緑色蛍光体とを用いてもよい。また、発光部３ａは、紫〜近紫外ＬＥＤチップと、赤色蛍光体、緑色蛍光体および青色蛍光体とを組み合わせて白色光を得る白色ＬＥＤを構成してもよい。さらに、発光部３ａは、赤色ＬＥＤチップと緑色ＬＥＤチップと青色ＬＥＤチップとを組み合わせて白色光を得る白色ＬＥＤを構成してもよい。
【００２９】
実装基板３ｂは、例えば、金属ベースプリント配線板を用いて形成されており、発光部３ａに電気的に接続された一対の端子部３ｃ，３ｃが形成されている。各端子部３ｃ，３ｃは、導体パターンにより構成されている。実装基板３ｂは、金属ベースプリント配線板を用いているが、これに限らず、例えば、セラミック基板、ガラスエポキシ基板などを用いてもよい。また、各端子部３ｃ，３ｃには、電線４，４が半田からなる接合部（図示せず）を介して電気的に接続されている。ここで、一方の電線４が発光部３ａのプラス側に接続された端子部３ｃ（図１における左側の端子部３ｃ）に接続され、他方の電線４が発光部３ａのマイナス側に接続された端子部３ｃ（図１における右側の端子部３ｃ）に接続されている。また、実装基板３ｂは、電線４の誤接続を防止するために、各端子部３ｃ，３ｃの近傍に極性を示す“＋”、“−”を表記してある。なお、実装基板３ｂの一表面側には、発光部３ａおよび各端子部３ｃ，３ｃ以外の部位を覆う白色のレジスト層などからなる反射層（図示せず）が形成されており、これにより、発光部３ａから放射された光が実装基板３ｂに吸収されるのを抑制することが可能となる。
【００３０】
また、実装基板３ｂの他表面とベース１の上記一表面側に突設された突台部１ｆとの間には、電気絶縁性および熱伝導性を有する放熱シート９が配置されている。したがって、上述の発光装置３は、この発光装置３で発生した熱を、放熱シート９を通してベース１へ効率よく放熱させることが可能となる。また、本実施形態のＬＥＤユニット１０は、ベース１を樹脂に比べて熱伝導性の高い材料により形成しているので、上述の発光装置３で発生した熱を、放熱シート９およびベース１を通して器具本体１１側へ放熱することが可能となる。
【００３１】
放熱シート９としては、突台部１ｆの先端面１ｆａや窪部１ｑへのフィット性の良い放熱シートが好ましく、例えば、ゴムシート状あるいはゲルシート状の樹脂シートを用いることができる。この種の樹脂シートとしては、例えば、サーコン（登録商標）などを用いることができる。なお、本実施形態のＬＥＤユニット１０では、実装基板３ｂの一表面側とベース１の上記一表面側との間に放熱シート９を配置しているが、これに限らず、電気絶縁性および熱伝導性を有する接着シートを配置してもよい。
【００３２】
ところで、ベース１の上記一表面側には、発光装置３に電気的に接続された各電線４，４の一部を収納配置するための円形状の凹所１ｅが形成されている。
【００３３】
凹所１ｅの内底面の中央部には、発光装置３側（図１では、上側）へ突出する突台部１ｆが設けられている。この突台部１ｆは、平面視において矩形状（図示例では、長方形状）に形成されている。ここにおいて、発光装置３は、突台部１ｆの先端面１ｆａとの間に放熱シート９が介在するように配置される。
【００３４】
また、突台部１ｆの高さ寸法は、この突台部１ｆの高さ寸法と放熱シート９の厚み寸法とを合わせた寸法が凹所１ｅの深さ寸法よりも大きくなるように設定されている。したがって、本実施形態のＬＥＤユニット１０は、発光装置３から放射された光が、ベース１の凹所１ｅの内面で反射されたり吸収されたりするのを抑制することが可能となる。
【００３５】
また、突台部１ｆの先端面１ｆａには、放熱シート９の一部が入り込むことが可能な窪部１ｑが複数箇所（図１では、４箇所）に形成されている。これによって、ＬＥＤユニット１０は、組立時において発光装置３および放熱シート９をベース１とホルダ２とで挟持する前に、突台部１ｆと発光装置３との間に介在された放熱シート９の横方向への位置ずれを防止することが可能となる。
【００３６】
ホルダ２は、突台部１ｆとの間に発光装置３を保持する押え板部２ｅと、押え板部２ｅの周縁から後方（ベース１側）に延設された周壁部２ｆとを有している。このホルダ２は、押え板部２ｅが円板状に形成されており、押え板部２ｅの中央部に、発光装置３の発光部３ａを露出させるための窓孔２ａが形成されている。
【００３７】
ここにおいて、凹所１ｅの内底面には、突台部１ｆの短手方向の両側において、ボス部１ｒが突設されている。各ボス部１ｒには、ホルダ２をベース１に取り付けるための組立ねじ２３ｄを螺合するねじ孔１ｄが形成されている。したがって、本実施形態のＬＥＤユニット１０は、突台部１ｆの長手方向の両側にボス部１ｒが配置される場合に比べて、ホルダ２の押え板部２ｅの形状を小さくすることが可能となる。
【００３８】
また、ホルダ２の押え板部２ｅの周部には、発光装置３の各端子部３ｃ，３ｃに電気的に接続された各電線４，４が押え板部２ｅに干渉するのを防止する開口孔２ｂ，２ｂが、窓孔２ａに連通するように形成されている。
【００３９】
また、ホルダ２の押え板部２ｅの周部には、ベース１の各ねじ孔１ｄに対応する部位に、組立ねじ２３ｄをホルダ２の押え板部２ｅの前面側（図１では、上面側）から挿通するねじ挿通孔２ｄが貫設されている。ここで、ホルダ２をベース１に取り付ける場合は、まず、ホルダ２の窓孔２ａから発光装置３の発光部３ａを露出させるとともに、発光装置３をベース１とホルダ２とで挟持させる。そして、組立ねじ２３ｄをホルダ２の押え板部２ｅの上記前面側から組立ねじ挿通孔２ｄに挿通し、ベース１のねじ孔１ｄに螺合させることによって、ベース１にホルダ２が取り付けられる。なお、発光装置３とベース１との間には、放熱シート９が配置されている。
【００４０】
したがって、本実施形態のＬＥＤユニット１０は、組立ねじ２３ｄをねじ孔１ｄに螺合させる際に発光装置３にかかる応力を放熱シート９により吸収して緩和することが可能となるので、発光装置３に不要な応力がかかるのを抑制することが可能となる。
【００４１】
ここにおいて、本実施形態のＬＥＤユニット１０では、ホルダ２の押え板部２ｅの形状を円形状としているが、これに限らず、例えば、多角形状であってもよいし、楕円形状であってもよい。
【００４２】
また、ベース１の周部には、発光装置３に電気的に接続された一対の電線４，４をＬＥＤユニット１０の外部へ導出するための導出部１ｃが設けられている。
【００４３】
導出部１ｃは、ベース１の周部に形成された切欠き部であって、一対の電線４，４をＬＥＤユニット１０の外部へ導出する方向を変更することが可能となっている。
【００４４】
具体的に説明すると、導出部１ｃは、ベース１の周部においてベース１の他表面（図３では、下面）、側面および上記一表面が開放されている。つまり、導出部１ｃは、一対の電線４，４をＬＥＤユニット１０の外部へ導出する方向を、ベース１の上記他表面側と、ベース１の上記他表面に沿った方向との間で変更することが可能となる（図３（ｂ）参照）。また、導出部１ｃは、図４に示すように、この導出部１ｃから導出した一対の電線４，４をベース１の上記他表面に直交する方向（図４（ｂ）では、上方向）へ導出した場合に、一対の電線４，４がベース１の外周線よりも内側に配置されるように形成されている。
【００４５】
したがって、本実施形態のＬＥＤユニット１０は、図４および図５に示すように、導出部１ｃから導出した一対の電線４，４をベース１の上記他表面側（図示例では、上側）および側方へ導出することが可能となる。言い換えれば、このＬＥＤユニット１０は、図２１に示した従来例のＬＥＤユニットに比べて、ＬＥＤユニット１０に電源を供給する電源ユニット１５（図１０参照）との相対的な位置関係の自由度を高めることが可能となる。これによって、本実施形態のＬＥＤユニット１０は、電源ユニット１５との相対的な位置関係の自由度を高めることができるので、様々な形態の器具本体１１に取り付け可能となる。また、このＬＥＤユニット１０では、導出部１ｃが、この導出部１ｃから導出した一対の電線４，４をベース１の上記他表面に直交する方向へ導出した場合に、一対の電線４，４がベース１の外周線よりも内側に配置されるように形成されているので、例えば、器具本体１１が円筒状に形成されている場合、器具本体１１の最小径寸法をベース１の外形寸法と同程度の寸法に設定することが可能となり、照明器具１２の小型化を図ることが可能となる。
【００４６】
ところで、ベース１の凹所１ｅにおいて導出部１ｃ側（図２では、右側）の内底面には、各電線４，４の各々を凹所１ｅの内周面との間に挟持するリブ１ｈａ，１ｈｂが突設されている。具体的に説明すると、ベース１の凹所１ｅにおいて導出部１ｃ側の内底面には、一方の電線４を凹所１ｅの内周面との間に挟持するリブ１ｈａと、他方の電線４を凹所１ｅの内周面との間に挟持するリブ１ｈｂとが突設されている。また、ベース１の凹所１ｅの内底面には、凹所１ｅの内周面における導出部１ｃの内周面１ｇと境界付近に突設された２つのリブ１ｈｄ，１ｈｄの各々との間に電線４，４を保持するリブ１ｈｃが突設されている。なお、リブ１ｈｃは、ボス部１ｒに連続して形成されている。また、リブ１ｈａおよびリブ１ｈｂは、ベース１の凹所１ｅの内底面に突設した連結片１ｈｅを介して連結されている。
【００４７】
したがって、本実施形態のＬＥＤユニット１０は、発光装置３に電気的に接続された各電線４，４を、ベース１において保持することによって、別部品を追加することなく、一対の電線４，４の張力止め機能を付与することが可能となる。言い換えれば、上述のＬＥＤユニット１０は、一対の電線４，４に作用する張力を低減するための別部品が不要であり、低コストで一対の電線４，４の張力止め機能を付与することが可能となる。また、このＬＥＤユニット１０は、一対の電線４，４に作用する張力を低減することができるので、各電線４，４と発光装置３の各端子部３ｃ，３ｃとの接合部（図示せず）に応力が作用して断線するのを防止することが可能となる。
【００４８】
また、ＬＥＤユニット１０におけるホルダ２の側部には、ベース１の導出部１ｃに対応する部位に、導出部１ｃから導出した一対の電線４，４をベース１とで挟持するための挟持部２ｃが形成されている。つまり、本実施形態のＬＥＤユニット１０は、発光装置３に電気的に接続された各電線４，４を、ベース１で保持するとともに、ベース１と挟持部２ｃとで挟持することが可能となる。
【００４９】
また、ベース１には、図３に示すように、ベース１の導出部１ｃの内周面１ｇとベース１の凹所１ｅの内底面との間に、面取り部１ｋが形成されている。したがって、本実施形態のＬＥＤユニット１０は、ベース１に面取り部１ｋが形成されているので、各電線４をベース１の上記他表面側に曲げた時に各電線４にかかる応力を低減することが可能となる。また、ＬＥＤユニット１０は、各電線４をベース１の上記他表面側に曲げた時に各電線４にかかる応力を低減することができるので、各電線４を断線するのを防止することが可能となる。なお、面取り部１ｋは、Ｒ面取り部としてあるが、これに限らず、例えば、Ｃ面取り部などであってもよい。
【００５０】
また、導出部１ｃの幅寸法Ａ１（図６参照）は、２本の電線４，４を隣同士に並べた幅寸法よりも大きな寸法に設定されている。ここで、図７に示すように、導出部１ｃの幅寸法Ａ２を、図６に示した導出部１ｃの幅寸法Ａ１よりも大きな寸法に設定すれば、ベース１の上記他表面に沿った水平面内において、図７に示した導出部１ｃから導出した一対の電線４，４の可動範囲Ｂ２を、図６に示した導出部１ｃから導出した一対の電線４，４の可動範囲Ｂ１よりも大きくすることが可能となる。
【００５１】
カバー２０は、透光性材料（例えば、シリコーン樹脂、アクリル樹脂、ガラスなど）により形成されている。また、カバー２０は、ベース１の外周線よりも内側に配置され発光装置３を覆う有底円筒状の本体部２０ａと、この本体部２０ａの開口部から外方へ延設されてなりカバー２０をベース１に取り付けるための鍔部２０ｂとを有する。なお、本体部２０ａの一部にレンズを形成してもよい。また、本体部２０ａの形状は、有底円筒状に限定するものではなく、例えば、ドーム状であってもよい。
【００５２】
また、カバー２０のベース１側（図１では、下側）とホルダ２の押え板部２ｅの上記前面側との間には、ホルダ２の各ねじ挿通孔２ｄ，２ｄの各々に挿通された組立ねじ２３ｄ，２３ｄと、ホルダ２の各開口孔２ｂ，２ｂから露出された各電線４，４とを覆う環状（例えば、円環状）の化粧カバー４０が配置されている。
【００５３】
化粧カバー４０は、非透光性材料（例えば、白色不透明の樹脂など）により形成されており、カバー２０の本体部２０ａに収納配置される。なお、化粧カバー４０は、外周縁から複数（例えば、３つ）の突起４０ｂが突設されており、各突起４０ｂが、カバー２０の本体部２０ａの内側面に形成された２０ｈ（図３（ｂ）参照）により位置決めされている。
【００５４】
したがって、本実施形態のＬＥＤユニット１０は、ホルダ２の押え板部２ｅの上記前面側に化粧カバー４０を設けているので、カバー２０を通して各組立ねじ２３ｄ，２３ｄおよび各電線４，４が見えるのを防止することが可能となり、外観の意匠性を高めることが可能となる。
【００５５】
また、カバー２０の鍔部２０ｂの周部には、円環状の突出部２０ｅ（図３参照）がベース１側に突設されている。ここにおいて、ベース１の上記一表面側には、カバー２０の突出部２０ｅに対応する部位に、突出部２０ｅを収納可能な溝部１ｔが形成されている。この溝部１ｔには、気密封止用の封止材（例えば、シリコーン樹脂など）が充填されている。したがって、本実施形態のＬＥＤユニット１０は、カバー２０の突出部２０ｅを、封止材が充填されたベース１の溝部１ｔに収納することによって、ＬＥＤユニット１０内への水分や不純物などの侵入を抑制することが可能となる。
【００５６】
カバー押え部材２１は、非透光性材料（例えば、アルミニウムなどの金属や、白色不透明の樹脂など）により形成されており、発光装置３から放射されてカバー２０の本体部２０ａの外周面から出射される光をできるだけ妨げないように扁平な環状（図示例では、円環状）に形成されている。また、カバー押え部材２１は、カバー２０の鍔部２０ｂをベース１との間に挟持する。
【００５７】
ところで、導出部１ｃの長さ寸法Ｃ１（図８参照）は、カバー押え部材２１の幅寸法Ｅ１（図８（ａ）参照）よりも小さな寸法に設定されている。ここにおいて、本実施形態のＬＥＤユニット１０は、導出部１ｃの長さ寸法Ｃ１をカバー押え部材２１の幅寸法Ｅ１よりも小さな寸法に設定しているが、これに限らず、例えば、図９に示すように、導出部１ｃの長さ寸法Ｃ２を、カバー押え部材２１の幅寸法Ｅ１よりも大きな寸法に設定してもよい。この場合には、ベース１の上記他表面に直交する垂直面内において、図９に示した導出部１ｃから導出した一対の電線４，４の可動範囲Ｄ２を、図８に示した導出部１ｃから導出した一対の電線４，４の可動範囲Ｄ１よりも大きくすることが可能となる。
【００５８】
また、カバー押え部材２１の周部には、ベース１の導出部１ｃに対応する部位に、ＬＥＤユニット１０の組立時にベース１の溝部１ｔに充填される封止材が溢れた場合、溢れた封止材を溜めることが可能な凹所２１ａ（図３参照）が形成されている。ここにおいて、カバー２０の鍔部２０ｂの外周部には、カバー押え部材２１の凹所２１ａに対応する部位に、溢れた封止材をカバー押え部材２１の凹所２１ａに導くための切欠き部２０ｆが形成されている。
【００５９】
また、カバー押え部材２１の一表面（図１では、下面）には、ベース１側へ突出する複数個（図１では、４個のうちの２個が見えている）の円柱状のボス部２１ｃが設けられている。ここにおいて、カバー２０の鍔部２０ｂの外周部には、カバー押え部材２１の各ボス部２１ｃに対応する部位に、各ボス部２１ｃを挿通する半円状の切欠き部２０ｄが形成されている。また、ベース１の周部には、カバー押え部材２１の各ボス部２１ｃに対応する部位に、ボス部２１ｃを貫通させる貫通孔１ａが形成されている。ここで、上述のカバー２０をベース１に取り付ける場合は、カバー押え部材２１の各ボス部２１ｃをベース１の各貫通孔１ａに挿通させてから、ベース１の上記他表面側（図１では、下面側）から各ボス部２１ｃの先端部をレーザ光などの照射により塑性変形させてベース１の貫通孔１ａよりも広げることによって、ベース１にカバー２０が取り付けられる。要するに、ボス部２１ｃは、最終的にはマッシュルーム状の形状となる。ここにおいて、ベース１の上記他表面側には、各貫通孔１ａに対応する部位に、マッシュルーム状のボス部２１ｃの頭部（先端部）が収納配置される収納部１ｊが、貫通孔１ａに連通して形成されている。ここで、各収納部１ｊの深さ寸法は、ベース１の上記他表面を含む平面から貫通孔１ａに貫通させたボス部２１ｃの頭部が突出しないように設定されている。
【００６０】
本実施形態のＬＥＤユニット１０は、カバー２０の鍔部２０ｂをベース１とカバー押え部材２１とで挟持することによって、カバー２０に応力が加わるのを防止することが可能となる。また、ＬＥＤユニット１０は、カバー押え部材２１をベース１に対してねじを用いることなく取り付けているので、ねじの緩みなどの懸念がなくなる。また、ＬＥＤユニット１０は、カバー押え部材２１を扁平な環状に形成しているので、このＬＥＤユニット１０を器具本体１１に取り付けてＬＥＤユニット１０を点灯させた場合に、カバー２０の本体部２０ａの外周面から出射される光の所望の配光および均斉度を阻害する要素が少なくなる。なお、カバー２０をベース１に取り付ける方法は、特に限定するものではなく、例えば、組立ねじなどを用いてカバー２０をベース１に取り付けてもよい。
【００６１】
また、カバー押え部材２１の外周部には、ベース１の各取付ねじ挿通孔１ｂに対応する部位に、取付ねじ（図示せず）をカバー押え部材２１の他表面側（図１では、上面側）から挿通する半円状の切欠き部２１ｂが形成されている。また、カバー２０の鍔部２０ｂの外周部には、ベース１の各取付ねじ挿通孔１ｂ、カバー押え部材２１の各切欠き部２１ｂに対応する部位に、上記取付ねじをカバー押え部材２１側から挿通する半円状の切欠き部２０ｃが形成されている。したがって、本実施形態のＬＥＤユニット１０は、カバー押え部材２１の外周部に各切欠き部２１ｂが形成されるとともに、カバー２０の鍔部２０ｂの外周部に各切欠き部２０ｃが形成されているので、ベース１をカバー２０側から照明器具１２の器具本体１１に着脱自在に取り付けることが可能となる。
【００６２】
ところで、一対の電線４，４においてベース１の導出部１ｃから導出した部位の先端部には、コネクタ４ａが設けられている。このコネクタ４ａは、図１０に示すように、電源ユニット１５に電気的に接続されている電源線１３の先端部に設けられた電源ユニット１５側のコネクタ１４と着脱自在に接続することが可能である。
【００６３】
したがって、本実施形態のＬＥＤユニット１０は、一対の電線４，４の先端部に、電源ユニット１５側のコネクタ１４と着脱自在に接続可能なコネクタ４ａが設けられているので、ＬＥＤユニット１０の着脱時の接続作業を容易に行うことができる。また、このＬＥＤユニット１０は、一対の電線４，４の先端部にコネクタ４ａが設けられるとともに、ベース１をカバー２０側から照明器具１２の器具本体１１に着脱自在に取り付けることができるので、ユーザによってＬＥＤユニット１０を容易に交換することが可能となる。
【００６４】
以下に、上述のＬＥＤユニット１０を備えた照明器具１２について、図１０〜図１５を参照しながら説明する。
【００６５】
照明器具１２は、上述のＬＥＤユニット１０と、ＬＥＤユニット１０が着脱自在に取り付けられた金属製の器具本体１１とを備えている。この照明器具１２は、器具本体１１を金属製としてあるので、樹脂製の場合に比べて、ＬＥＤユニット１０の発光装置３で発生した熱を、放熱シート９、ベース１および器具本体１１を通して効率よく放熱させることが可能となる。なお、器具本体１１の材料としては、アルミニウムを採用しているが、アルミニウム以外の金属を採用してもよい。また、器具本体１１の材料は、金属以外の材料でもよい。
【００６６】
器具本体１１は、ＬＥＤユニット１０を着脱自在に取り付けることができるように構成されている。具体的に説明すると、器具本体１１には、ベース１の各取付ねじ挿通孔１ｂに対応する部位に、上記取付ねじを螺合する取付ねじ孔（図示せず）が形成されている。
【００６７】
図１０に示した構成の照明器具１２は、例えば、天井材１７に埋め込み配置されるダウンライトである。この照明器具１２の器具本体１１は、ＬＥＤユニット１０が収納配置される有底円筒状の本体部１１ａと、この本体部１１ａの開口部から外方へ延設された外鍔部１１ｂとを有する。また、器具本体１１は、天井材１７に貫設された埋込穴１７ａに埋め込まれ、外鍔部１１ｂが天井材１７の下面における埋込穴１７ａの周部に当接する形で天井材１７に取り付けられる。
【００６８】
器具本体１１の底部１１ｃの上側には、電源ユニット１５を収納配置する収納部１１ｅが設けられており、電源ユニット１５が器具本体１１から離して配置されている。したがって、本実施形態の照明器具１２は、電源ユニット１５で発生した熱が器具本体１１を通してＬＥＤユニット１０側に熱伝導するのを抑制することが可能となる。
【００６９】
また、器具本体１１の底部１１ｃには、ＬＥＤユニット１０から導出した一対の電線４，４およびコネクタ４ａを収納部１１ｅ内へ引き出す引出孔（図示せず）が貫設されている。
【００７０】
また、図１１に示した構成の照明器具１２は、例えば、天井材１７に固定され器具本体１１を保持する保持具１９に器具本体１１が保持されるスポットライトである。この照明器具１２の器具本体１１は、箱状であって、器具本体１１内に電源ユニット１５が器具本体１１から離して配置されている。
【００７１】
器具本体１１の底部１１ｆには、ＬＥＤユニット１０から導出した一対の電線４，４およびコネクタ４ａを器具本体１１内へ引き出す引出孔（図示せず）が貫設されている。また、器具本体１１の底部１１ｆには、ＬＥＤユニット１０のカバー２０から出射される光を拡散透過する拡散板２２がＬＥＤユニット１０を覆う形で取り付けられている。
【００７２】
また、図１２に示した構成の照明器具１２は、例えば、器具本体１１が壁面１８に固定されるブラケットである。この照明器具１２の器具本体１１は、箱状であって、器具本体１１内に電源ユニット１５が器具本体１１から離して配置されている。なお、器具本体１１には、ＬＥＤユニット１０のカバー２０から出射される光を拡散透過させる拡散板２２がＬＥＤユニット１０を覆う形で取り付けられている。
【００７３】
上述の図１０〜図１２に示した構成の照明器具１２におけるＬＥＤユニット１０は、図４に示すように、一対の電線４，４をベース１の導出部１ｃからベース１の上記他表面側（図４（ｂ）では、上側）へ導出する。
【００７４】
また、図１３に示した構成の照明器具１２は、例えば、電源ユニット１５がＬＥＤユニット１０の側方に配置されたものであり、器具本体１１が天井材１７に固定されるシーリングライトである。また、図１４に示した構成の照明器具１２は、例えば、天井材１７に固定され器具本体１１を吊り下げる吊り具１６に器具本体１１が吊り下げられたペンダントライトである。また、図１５に示した構成の照明器具１２は、例えば、電源ユニット１５がＬＥＤユニット１０の下方に配置されたものであり、器具本体１１が壁面１８に固定される縦長のポーチライトである。なお、図１３〜図１５に示した構成の照明器具１２は、ＬＥＤユニット１０のカバー２０から出射される光を拡散透過させる拡散板２２を有する。
【００７５】
上述の図１３〜図１５に示した構成の照明器具１２におけるＬＥＤユニット１０は、図５に示すように、一対の電線４，４をベース１の導出部１ｃからベース１の側方へ導出する。
【００７６】
したがって、本実施形態の照明器具１２は、様々な形態の器具本体１１に取り付け可能なＬＥＤユニット１０を備えた照明器具を提供することができる。
【００７７】
（実施形態２）
本実施形態のＬＥＤユニットの基本構成は実施形態１と同じであり、図１６に示すように、カバー押え部材２１の一部が実施形態１と相違する。なお、実施形態１と同様の構成要素には同一の符号を付して説明を適宜省略する。
【００７８】
カバー押え部材２１の周部において導出部１ｃに対応する部位は、カバー押え部材２１の他表面（図１６では、上面）、側面および一表面が開放されている。つまり、本実施形態のＬＥＤユニット１０は、一対の電線４，４をＬＥＤユニット１０の外部へ導出する方向を、ベース１の一表面側（図１６では、上側）と、ベース１の他表面側との間で変更することが可能となる。
【００７９】
したがって、本実施形態のＬＥＤユニット１０は、導出部１ｇから導出した一対の電線４，４をベース１の上記他表面に直交する方向または側方へ導出することが可能となる。要するに、本実施形態のＬＥＤユニット１０でも、電源ユニット１５との相対的な位置関係の自由度を高めることができるので、様々な形態の器具本体１１に取り付け可能となる。
【００８０】
また、導出部１ｃは、この導出部１ｃから導出した一対の電線４，４をベース１の上記他表面に直交する方向（図１６では、上下方向）へ導出した場合に、一対の電線４，４がベース１の外周線よりも内側に配置されるように形成されている。
【００８１】
したがって、本実施形態のＬＥＤユニット１０は、導出部１ｃが、この導出部１ｃから導出した一対の電線４，４をベース１の上記他表面に直交する方向へ導出した場合に、一対の電線４，４がベース１の外周線よりも内側に配置されるように形成されているので、本体部１１ａの最小径寸法をベース１の外径寸法と同程度の寸法に設定することが可能となり、照明器具１２の小型化を図ることが可能となる。また、上述のＬＥＤユニット１０は、一対の電線４，４をカバー２０側（図１６では、上側）へ導出することができるので、ベース１の厚み寸法を小さな寸法に設定することが可能となり、照明器具１２の薄型化を図ることが可能となる。
【００８２】
（実施形態３）
本実施形態のＬＥＤユニットの基本構成は実施形態１と同じであり、図１７に示すように、カバー２０の構成が実施形態１と相違する。なお、実施形態１と同様の構成要素には同一の符号を付して説明を適宜省略する。
【００８３】
以下、本実施形態のＬＥＤユニット１０のカバー２０について、図１７〜図１９を参照しながら説明する。
【００８４】
カバー２０は、透光性材料（例えば、シリコーン樹脂、アクリル樹脂、ガラスなど）により形成されたレンズ部７と、このレンズ部７を保持するとともにベース１に取り付けられるレンズ保持部８とで構成されている。
【００８５】
レンズ部７は、図１８に示すように、発光装置３側（図１８では、下側）に向かって凸形状に形成されるとともに、先端部に発光装置３の前面側（図１８では、上面側）を囲む凹所７ａが形成されている。また、レンズ部７は、このレンズ部７の光出射面７ｂから発光装置３側に近づくにつれて外径が徐々に小さくなるように形成されている。さらに、レンズ部７は、光出射面７ｂ側の中央部に凹所７ｃが形成されている。なお、レンズ部７は、光出射面７ｂ側の中央部に凹所７ｃを形成しているが、これに限らず、例えば、光出射面７ｂの中央部が発光装置３側とは反対側へ突出する凸曲面状に形成してもよい。
【００８６】
また、レンズ部７は、凹所７ａの内底面７ｆから入射した光を凹所７ｃの内底面７ｇに導く機能と、凹所７ａの内側面７ｈから入射した光をレンズ部７の外周面７ｄで反射してレンズ部７の光出射面７ｂ側に導く機能とを有するように設計されている。
【００８７】
レンズ保持部８は、非透光性材料（例えば、黒色の樹脂、アルミニウムなどの金属など）により形成されており、レンズ部７が収納配置される円筒状の本体部８ａと、この本体部８ａのベース１側（図１７では、下側）の端部から外方へ延設された鍔部８ｂとを有する。ここで、本実施形態のＬＥＤユニット１０は、レンズ保持部８が非透光性材料により形成されているので、レンズ部７の外周面７ｄから出射される光を遮断することが可能となり、発光装置３からの光をレンズ部７の光出射面７ｂから出射することが可能となる。言い換えれば、本実施形態のＬＥＤユニット１０は、発光装置３からの光を一定範囲に集光させることが可能となる。
【００８８】
本体部８ａのレンズ部７側（図１７では、上側）の端部には、レンズ部７を保持するための保持突起８ｅが複数箇所に形成されている。この保持突起８ｅは、レンズ部７の光出射面側の外鍔部７ｊを本体部８ａの内側面に形成された段部８ｈとの間に保持する。なお、レンズ部７の外鍔部７ｊと本体部８ａとは、接着剤などにより接合することが好ましい。
【００８９】
ところで、レンズ部７の外周面７ｄには、レンズ部７をレンズ保持部８に取り付ける際に位置決めを行うための突起７ｅが設けられている。ここにおいて、本体部８ａの内周壁には、レンズ部７の突起７ｅに対応する部位に、突起７ｅを位置決めする凹部８ｊ（図１８参照）が設けられている。
【００９０】
鍔部８ｂには、ベース１の導出部１ｃに対応する部位に、ＬＥＤユニット１０の組立時にベース１の溝部１ｔに充填された封止材が溢れた場合、溢れた封止材を溜めるための凹所８ｇが形成されている。
【００９１】
また、鍔部８ｂの周部には、ベース１の溝部１ｔに対応する部位に、円筒状の突出部８ｆがベース１側（図１８では、下側）に突設されている。したがって、本実施形態のＬＥＤユニット１０は、レンズ保持部８の突出部８ｆを、封止材が充填されたベース１の溝部１ｔに収納することによって、ＬＥＤユニット１０内への水分や不純物などの侵入を防止することが可能となる。
【００９２】
鍔部８ｂの一表面（図１７では、下面）には、ベース１の各貫通孔１ａに対応する部位に、ベース１側へ突出する複数個（図１７では、４個のうちの１個が見えている）の円柱状のボス部８ｃが設けられている。ここで、上述のカバー２０は、レンズ保持部８の鍔部８ｂにおける各ボス部８ｃをベース１の各貫通孔１ａに貫通させてから、ベース１の上記他表面側（図１７では、下面側）から各ボス部８ｃの先端部をレーザ光などの照射により塑性変形させてベース１の貫通孔１ａよりも広げることによって、ベース１にカバー２０が取り付けられる。要するに、ボス部８ｃは、最終的にはマッシュルーム状の形状となる。ここにおいて、ベース１の上記他表面側には、各貫通孔１ａに対応する部位に、マッシュルーム状のボス部８ｃの頭部８ｃａが収納配置される収納部１ｊが、貫通孔１ａに連通して形成されている。ここで、各収納部１ｊの深さ寸法は、ベース１の上記他表面を含む平面からボス部８ｃの頭部８ｃａが突出しないように設定されている。なお、カバー２０をベース１に取り付ける方法は、特に限定するものではなく、例えば、組立ねじなどを用いてカバー２０をベース１に取り付けてもよい。
【００９３】
また、鍔部８ｂの外周部には、ベース１の各取付ねじ挿通孔１ｂに対応する部位に、上記取付ねじを鍔部８ｂの他表面側（図１７では、上面側）から挿通する半円状の切欠き部８ｄが形成されている。したがって、本実施形態のＬＥＤユニット１０は、鍔部８ｂの外周部に各切欠き部８ｄを形成しているので、ベース１をカバー２０側から照明器具１２の器具本体１１に着脱自在に取り付けることが可能となる。
【００９４】
したがって、本実施形態のＬＥＤユニット１０でも、ベース１の周部に導出部１ｃが設けられ、この導出部１ｃから導出した一対の電線４，４をベース１の上記他表面側（図１９では、上側）または側方へ導出することができるので、電源ユニット１５との相対的な位置関係の自由度を高めることが可能で、様々な形態の器具本体１１に取り付け可能となる。
【符号の説明】
【００９５】
１  ベース
１ｃ  導出部
１ｅ  凹所
１ｇ  内周面
１ｋ  面取り部
３  発光装置
４  電線
４ａ  コネクタ
１０  ＬＥＤユニット
１１  器具本体
２０  カバー
【図１】
0005799217.tif 000002
【図２】
0005799217.tif 000003
【図３】
0005799217.tif 000004
【図４】
0005799217.tif 000005
【図５】
0005799217.tif 000006
【図６】
0005799217.tif 000007
【図７】
0005799217.tif 000008
【図８】
0005799217.tif 000009
【図９】
0005799217.tif 000010
【図１０】
0005799217.tif 000011
【図１１】
0005799217.tif 000012
【図１２】
0005799217.tif 000013
【図１３】
0005799217.tif 000014
【図１４】
0005799217.tif 000015
【図１５】
0005799217.tif 000016
【図１６】
0005799217.tif 000017
【図１７】
0005799217.tif 000018
【図１８】
0005799217.tif 000019
【図１９】
0005799217.tif 000020
【図２０】
0005799217.tif 000021
【図２１】
0005799217.tif 000022